(57)【要約】【課題】  自然の瞼の開閉方向と同じ方向に開瞼を行うことができ、小型化も可能で、かつ、施術者が片手で開瞼作業を行うことができる開瞼器を提供する。【解決手段】  眼の治療や手術の際又は眼内への薬剤投与の際などに、上下の瞼を開くために使用される開瞼器において、ハンドル４と、このハンドル４に形成された螺旋部５と、この螺旋部５に沿って移動するスライダ６と、このスライダ６の直線方向の移動を瞼の開閉方向の移動に変換する変換機構７，８，１０と、先端に瞼押え部３を有し、変換機構７，８，１０によって瞼の開閉方向に移動する一対のアーム２，２と、前記変換機構と連動し、一対のアーム２，２を瞼の開閉方向と同方向に移動させるように支持する支持機構９，１０とを有する【選択図】  図１
2014036814.tif 000002
【特許請求の範囲】
【請求項１】
眼の治療や手術の際又は眼内への薬剤投与の際などに、上下の瞼を開くために使用される開瞼器において、
ハンドルと、
このハンドルに形成された螺旋部と、
この螺旋部に沿って移動するスライダと、
このスライダの直線方向の移動を瞼の開閉方向の移動に変換する変換機構と、
先端に瞼押え部を有し、前記変換機構によって瞼の開閉方向に移動する一対のアームと、
前記変換機構と連動し、前記一対のアームを瞼の開閉方向と同方向に移動させるように支持する支持機構とを有すること、
を特徴とする開瞼器。
【請求項２】
前記変換機構が、前記スライダに一端が回動自在に連結され、前記アームに他端が回動自在に連結された第一の連結部材で、
前記支持機構が、前記ハンドルに回動自在に取り付けられた保持部材と、この保持部材に一端が回動自在に連結され、前記アームに他端が回動自在に連結された第二の連結部材であり、
前記第一の連結部材と前記第二の連結部材の前記アームにおける連結位置を離間して配置したこと、
を特徴とする請求項１に記載の開瞼器。
【請求項３】
前記変換機構を複数設けたことを特徴とする請求項１又は２に記載の開瞼器。
【請求項４】
複数の前記変換機構の少なくとも一つを前記支持機構としたことを特徴とする請求項３に記載の開瞼器。
【請求項５】
一つの前記変換機構の前記アームにおける連結位置が前記第二の連結部材の前記アームにおける連結位置と同一であることを特徴とする請求項３又は４に記載の開瞼器。
【請求項６】
前記変換機構及び／又は前記支持機構が環状の弾性材から構成され、前記弾性材の両端に前記螺旋軸と螺合する螺合部が形成されていることを特徴とする請求項１〜５のいずれかに記載の開瞼器。
【発明の詳細な説明】
【技術分野】
【０００１】
本発明は、眼の治療や手術の際又は眼内への薬剤投与の際などに、上下の瞼を開くために使用される開瞼器に関する。
【背景技術】
【０００２】
この種の開瞼器としては、種々のものが市販されている他、種々のものが提案されている（例えば特許文献１〜４参照）
一般的な開瞼器を図５に示す。開瞼器６０は、バネ性を持つ金属線材をＵ字状に湾曲させて形成したアーム６４の両端に、上瞼と下瞼にそれぞれ引っ掛ける２つの湾曲プレートよりなる瞼押え部６２をろう付け等により接合したもので、アーム６４のバネ反発力によって開瞼状態を保つようにしている。
【先行技術文献】
【特許文献】
【０００３】
【特許文献１】特開２０１０−１１９４３３号公報
【特許文献２】特開２００４−１５４４６３号公報
【特許文献３】実用新案登録第３１０６７５８号公報
【特許文献４】実用新案登録第２５１６３６１号公報
【発明の開示】
【発明が解決しようとする課題】
【０００４】
しかし、人の瞼は上下に開閉するところ、特許文献１〜３に記載の開瞼器は、Ｕ字状のアームの折り返し部分を支点として、瞼押え部が円弧を描きながら開瞼させるため、本来の瞼の開閉方向とは異なる斜め上下方向に瞼が引っ張られながら開瞼させられることになる。このような不自然な開瞼は、患者に無用の負担を強いることになるほか、眼科医等の施術者においても、治療等がしづらくなるという問題がある。特に、開瞼器の小型化が求められている近年においては、前記支点と前記瞼押え部との間隔が小さくなることから、上記のような問題が顕在化する。
【０００５】
なお、特許文献４に記載の開瞼器においては、比較的自然に近い開閉方向に瞼を開瞼させることが可能ではあるが、眼科医等の施術者が両手で開瞼を行う必要があり、作業が面倒で作業効率が良くないという問題がある。
本発明は上記の課題を解決するためになされたもので、自然の瞼の開閉方向と同じ方向に開瞼を行うことができ、小型化も可能で、かつ、施術者が簡単に開瞼作業を行うことができる開瞼器の提供を目的とする。
【課題を解決するための手段】
【０００６】
上記目的を達成するために本発明の開瞼器は、眼の治療や手術の際又は眼内への薬剤投与の際などに、上下の瞼を開くために使用される開瞼器において、ハンドルと、このハンドルに形成された螺旋部と、この螺旋部に沿って移動するスライダと、このスライダの直線方向の移動を瞼の開閉方向の移動に変換する変換機構と、先端に瞼押え部を有し、前記変換機構によって瞼の開閉方向に移動する一対のアームと、前記変換機構と連動し、前記一対のアームを瞼の開閉方向と同方向に移動させるように支持する支持機構とを有する構成としてある。
この構成によれば、瞼押え部を患者の瞼に引っ掛けた状態で施術者がハンドルを回転させると、この回転はスライダを介して変換機構によってアームを開瞼方向に移動させる。アームは、支持機構によって瞼の開閉方向と同じ方向に移動するので、瞼を自然の開閉方向と同様に開瞼させることができる。
【０００７】
前記変換機構は、前記変換機構が、前記スライダに一端が回動自在に連結され、前記アームに他端が回動自在に連結された第一の連結部材で、  前記支持機構が、前記ハンドルに回動自在に取り付けられた保持部材と、この保持部材に一端が回動自在に連結され、前記アームに他端が回動自在に連結された第二の連結部材であり、前記第一の連結部材と前記第二の連結部材の前記アームにおける連結位置を離間して配置した構成としてもよい。
前記変換機構を複数設けてもよく、このうちの少なくとも一つを前記支持機構としてもよい。この場合、一つの前記変換機構の前記アームにおける連結位置が前記第二の連結部材の前記アームにおける連結位置とは同一であってもよい。
さらに、前記変換機構及び／又は前記支持機構が環状の弾性材から構成され、前記弾性材の両端に前記螺旋軸と螺合する螺合部が形成されているように構成してもよい。
【発明の効果】
【０００８】
本発明は上記のように構成されているので、自然の瞼の開閉方向と同じ方向に開瞼を行うことができ、小型化も可能で、かつ、施術者が簡単に開瞼作業を行うことができる開瞼器を提供できる。
【発明を実施するための最良の形態】
【０００９】
本発明の開瞼器の好適な実施形態を、図面を参照しながら詳細に説明する。
図１は、本発明の開瞼器の第一の実施形態にかかり、（ａ）はその全体構成を説明する平面図、（ｂ）はその側面図である。
図１に示すように、開瞼器１は、医師等の施術者が把持する回転自在なハンドル４と、このハンドル４の軸部に形成された螺旋部５と、この螺旋部５に螺合する螺旋孔が形成され、ハンドル４を回転させることで螺旋部５に沿って移動するスライダ６と、患者の上下の瞼に引っ掛けられる一対の瞼押さえ部３，３と、この瞼押さえ部３，３を取り付ける一対のアーム２，２と、スライダ６の螺旋部５に沿った移動（移動方向を図中矢印Ｉで示す）を瞼の開閉方向の移動（同矢印IIで示す）に変換する変換機構と、この変換機構と連動し、一対のアーム２，２を瞼の開閉方向と同方向に移動させるように支持する支持機構とを有する。
【００１０】
この実施形態において前記変換機構は、両側に拡幅するスライダ６のフランジ部分６ａに一端が回動自在に軸支され、アーム２，２に他端が回動自在に軸支された連結部材（第一の連結部材）７，７と、ハンドル４の軸部の先端に回転自在に取り付けられた保持部材１０と、この保持部材１０に一端が回動自在に軸支され、アーム２，２に他端が回動自在に軸支された連結部材（第三の連結部材）８，８とから構成されている。なお、図示の例では、アーム２，２における連結部材７，７と連結部材８，８の軸支位置は同一位置としてあるが、異なる位置であってもよい。
この構成によれば、スライダ６が螺旋部５に沿って保持部材１０に対して移動すると、連結部材７，７と連結部材８，８からなるリンク機構の作用により、アーム２，２が図中矢印IIで示す方向に移動する。
【００１１】
この実施形態では、上記構成の前記変換機構の他に前記支持機構を設けることで、アーム２，２が瞼の開閉方向と同方向に移動するようにしている。
この実施形態において前記支持機構は、ハンドル４の軸部の先端に回動自在に取り付けられた保持部材１０と、この保持部材１０に一端が回動自在に軸支され、アーム２，２に他端が回動自在に軸支された一対の連結部材（第二の連結部材）９，９とから構成される。
【００１２】
次に、上記構成の開瞼器１の作用を、図２を参照しつつ説明する。
施術者がハンドル４を把持して回転させると、ハンドル４の軸部に形成された螺旋部５も回転し、これにともなってスライダ６が図２中の左方、つまり、保持部材１０に接近する方向へ移動する。これにより、リンク機構を構成する連結部材７，７及び連結部材８，８がアーム２，２を押し上げ、瞼を開かせる方向に瞼押さえ部３を移動させる。
アーム２，２は、第二の連結部材である連結部材９，９によって支持されているから、瞼押さえ部３は自然の開閉方向に近い方向に瞼を開かせる。
所定位置でハンドル４の回転を停止させることで、瞼は一定の開放状態で保持される。
【００１３】
なお、開瞼した状態でハンドル４が容易に回転しないように、螺旋部５とスライダ６の螺旋孔との螺合にある程度の抵抗が生じるように、螺旋部５又は前記螺旋孔に樹脂のコーティング等を施したり、螺旋部５の材質及びスライダ６の材質として互いに摩擦が大きいものを選択したり、螺旋部５又は螺旋孔の表面に摩擦抵抗の大きい粗仕上げを施したりするとよい。
【００１４】
図３は本発明の第二の実施形態にかかる開瞼器の平面図である。
この実施形態の開瞼器１′は、先の実施形態の開瞼器１に対して、第三の連結部材である連結部材８，８を有しない点で相違する。
この実施形態では、前記支持機構を構成する連結部材（第二の連結部材）９，９が第一の連結部材である連結部材７，７とともに変換機構を構成する。
【００１５】
図４は本発明の第三の実施形態にかかり、その原理を模式的に説明する概略図である。
この実施形態の開瞼器では、螺旋部５に対して四枚の板ばね１５，１６，１７，１８が螺合されている。
板ばね１５と板ばね１６及び板ばね１７と板ばね１８は互いに向かい合わせて環状をなしている。板ばね１５，１６，１７，１８の両端は、一対のアーム２，２に連結されている。
【００１６】
また、板ばね１５と板ばね１６及び板ばね１７と板ばね１８のそれぞれには、螺旋部５が螺合する螺旋孔が形成されているが、対をなす板ばね１５と板ばね１６及び板ばね１７と板ばね１８とは互いに逆螺旋になるように前記螺旋部及び前記螺旋孔が形成されていて、螺旋部５が回転したときに、板ばね１５と板ばね１６及び板ばね１７と板ばね１８とは互いに接近方向又は離間する方向に移動するようになっている。
【００１７】
開瞼を行うために施術者が図示しないハンドルを把持して一方向に回転させると、逆螺旋の作用により板ばね１５と板ばね１６及び板ばね１７と板ばね１８とは互いに接近する方向に移動し、アーム２，２を互いに離間する方向に移動させ、（ａ）の状態から（ｂ）の状態に移行する。
この実施形態では、一方の板ばねの組（例えば板ばね１５と板ばね１６の組）が変換機構を構成し、他方の板ばねの組（同板ばね１７と板ばね１８の組）が支持機構を構成する。
【００１８】
本発明の好適な実施形態について説明したが、本発明は上記の説明に限定されるものではない。
例えば、連結部材７，７と連結部材８，８とから構成される変換機構又は連結部材９，９から構成される支持機構は一つに限らず二つ以上設けてもよい。
また、第三の実施形態における板ばねの組を三組以上設けてもよい。
さらに、第三の実施形態の板ばね（例えば板ばね１５と板ばね１６の組）からなる変換機構に、第一又は第二の実施形態の支持機構を組み合わせてもよいし、第一又は第二の実施形態の変換機構に、第三の実施形態の板ばね（例えば板ばね１７と板ばね１８の組）からなる支持機構を組み合わせてもよい
【図面の簡単な説明】
【００１９】
【図１】本発明の開瞼器の第一の実施形態にかかり、（ａ）はその全体構成を説明する平面図、（ｂ）はその側面図である。
【図２】開瞼器１の作用を説明する平面図である。
【図３】本発明の第二の実施形態にかかる開瞼器の平面図である。
【図４】本発明の第三の実施形態にかかり、その原理を模式的に説明した概略図である。
【図５】従来の一般的な開瞼器を示す図である。
【符号の説明】
【００２０】
１、１′    開瞼器
２          アーム
３          瞼押さえ部材
４          ハンドル
５          螺旋部
６          スライダ
７〜９      連結部材
【図１】
2014036814.tif 000003
【図２】
2014036814.tif 000004
【図３】
2014036814.tif 000005
【図４】
2014036814.tif 000006
【図５】
2014036814.tif 000007